(57)【要約】【課題】アナログチューナとデジタルタルチューナに受信感度の違いに応じた適切なレベルの信号を供給できるようにする。【解決手段】アンテナ１１からの信号を、分岐器１３で出力端子と分岐出力端子に分けて出力し、出力端子１３ｂに導出される信号をアナログチューナ１６に供給し、分岐出力端子１３ｃの信号をデジタルチューナ１７に供給する。デジタル放送受信時に、デジタルチューナ１７の受信信号の品位を判別手段３０で判別して、品位が所定閾値を超えて低下した際に、分岐器１３の出力端子１３ｂの信号をデジタルチューナ１７に供給するように切換える。【選択図】　　　図１
2004007130.tif 000002
【特許請求の範囲】
【請求項１】
アンテナからの信号が供給される入力端子と、
該入力端子に供給される信号を第１の挿入損失で第１の出力端子に導出すると共に、前記第１の挿入損失より大きな第２の挿入損失で第２の出力端子に導出する信号分配手段と、
前記第１の出力端子に供給される信号を入力として地上波アナログ放送チャンネルを受信し、受信信号を出力する第１のチューナと、
前記第２の出力端子に供給される信号を入力として地上波デジタル放送チャンネルを受信し、受信信号を出力する第２のチューナと、
前記第１のチューナの出力と前記第２のチューナの出力を択一的に選択して選択された側のチューナの受信信号を導出する出力手段と、
を具備したことを特徴とする地上波放送受信装置。
【請求項２】
さらに、前記切換手段によって前記第２のチューナの出力が選択された状態において、当該第２のチューナの受信信号に基づき、前記信号分配手段第１の出力端子から導出される信号を前記第２のチューナの入力とするように切換える制御手段を備えたことを特徴とする請求項１に記載の地上波放送受信装置。
【請求項３】
アンテナからの信号が供給される入力端子と、
該入力端子に供給される信号を第１の挿入損失で出力端子に導出すると共に、前記第１の挿入損失より大きな第２の挿入損失で分岐出力端子に導出する分岐手段と、
前記出力端子に導出される信号を入力として地上波アナログ放送チャンネルを受信し、受信信号を出力する第１のチューナと、
前記分岐出力端子に供給される信号を入力として地上波デジタル放送チャンネルを受信し、受信信号を出力する第２のチューナと、
前記第１のチューナの受信出力と前記第２のチューナの受信出力を択一的に切換えて選択したチューナの受信信号を出力する切換手段と、
前記切換手段によって前記第２のチューナの出力が選択された状態において前記第２のチューナから出力される受信信号に基づき、前記分岐手段の出力端子から導出される信号を前記第２のチューナの入力とするように切換える制御手段と、
を具備したことを特徴とする地上波放送受信装置。
【請求項４】
前記制御手段は、前記第２のチューナから出力される受信信号のビットエラーレートに基づいて、前記分岐手段の出力端子から導出される信号を前記第２のチューナの入力とするように切換えるものであることを特徴とする請求項３に記載の地上波放送受信装置。
【請求項５】
前記制御手段は、前記第２のチューナから出力される受信信号のキャリア対ノイズ比に基づいて前記分岐手段の出力端子から導出される信号を前記第２のチューナの入力とするように切換えるものであることを特徴とする請求項３に記載の地上波放送受信装置。
【請求項６】
前記制御手段は、前記第２のチューナの受信信号とは無関係に前記分岐器の出力端子の出力を、前記第１のチューナに導出するかあるいは前記第２のチューナに導出するか設定可能であることを特徴とする請求項３に記載の地上波放送受信装置。
【請求項７】
アンテナからの信号が供給される放送信号を第１の挿入損失で第１の出力端子に導出すると共に、前記第１の挿入損失より大きな第２の挿入損失で第２の出力端子に導出するステップと、
前記第１の出力端子に供給される信号のうち地上波アナログ放送チャンネルを第１のチューナで受信して受信信号を出力するステップと、
前記第２の出力端子に供給される信号のうち地上波デジタル放送チャンネルを第２のチューナで受信して受信信号を出力するステップと、
前記第２のチューナの受信信号に基づき、前記第１の出力端子に供給される信号を前記第２のチューナで受信するように設定するステップと、
を具備したことを特徴とする地上波放送受信方法。
【発明の詳細な説明】
【０００１】
【発明の属する技術分野】
本発明は、近い将来、地上波デジタル放送が開始された際に予想されるアナログ放送とデジタル放送が混在する状況において放送を適切に受信するための地上波放送受信装置及び受信方法に関する。
【０００２】
【従来の技術】
２００３年から地上波テレビジョン放送のデジタル化が一部の地域で開始され、２０１０年には全ての地域でアナログ放送に取って代わってデジタル放送が行なわれる計画が推進されている。
したがって、２０１０年まではアナログ放送とデジタル放送が同じサービスエリアで同時に実施される状況も考えられ、視聴者はこの期間に、デジタル放送に対応した受信機を購入することになる。
デジタル放送とアナログ放送で全く同じ番組を同時に放送する場合には、デジタル放送のみに対応した受信機を取得すればよいが、全てのチャンネルが同じタイミングでデジタル化されるとは限らず、デジタル専用の受信機では、デジタル化が遅れるチャンネルを受信できなくなる。
【０００３】
そこで、アナログ放送も実施される期間では、アナログ放送とデジタル放送の両方を受信可能な装置が実用に即した製品と言える。
アナログチューナとデジタルチューナの両方を搭載した受信機では、共通のアンテナ入力端子から分配器を介して両チューナに信号を供給するように構成することが考えられる。
このように構成すれば、共通のアンテナでアナログ放送とデジタル放送を受信することができるが、一般にデジタルチューナはアナログチューナに比べて受信感度が高いため、その受信感度の差を考慮してアンテナからの信号を両チューナに分配すればより効率的である。
【０００４】
従来、アナログ放送とデジタル放送の両方を受信可能にした提案はなされている（例えば特開２００１−２３０６８９号公報）が、アナログチューナとデジタルチューナの受信感度の差に着目して受信効率を向上させるという点に着目した提案はなされていない。
【０００５】
【発明が解決しようとする課題】
以上のように、従来、アナログ放送とデジタル放送の両方を受信可能にした受信機において、両放送を効率的に受信する装置がなかった。
本発明は、以上の問題に対処してなされたものであって、各チューナの受信感度に着目して、両放送を効率よく受信することができるようにした地上波放送受信装置及び地上波放送受信方法を提供することを目的とする。
【０００６】
【課題を解決するための手段】
本発明の、地上波放送受信装置は、アンテナからの信号が供給される入力端子と、該入力端子に供給される信号を第１の挿入損失で第１の出力端子に導出すると共に、前記第１の挿入損失より大きな第２の挿入損失で第２の出力端子に導出する信号分配手段と、前記第１の出力端子に供給される信号を入力として地上波アナログ放送チャンネルを受信し、受信信号を出力する第１のチューナと、前記第２の出力端子に供給される信号を入力として地上波デジタル放送チャンネルを受信し、受信信号を出力する第２のチューナと、前記第１のチューナの出力と前記第２のチューナの出力を択一的に選択して選択された側のチューナの受信信号を導出する出力手段とを具備したことを特徴とする。
【０００７】
本発明によれば、受信感度の高いデジタルチューナを挿入損失の大きい出力端子に接続し、アナログチューナを挿入損失の小さな出力端子に接続することにより、適切な受信を行なうことができるものである。
また、本発明の本発明の地上波放送受信装置は、アンテナからの信号が供給される入力端子と、該入力端子に供給される信号を第１の挿入損失で出力端子に導出すると共に、前記第１の挿入損失より大きな第２の挿入損失で分岐出力端子に導出する分岐手段と、前記出力端子に導出される信号を入力として地上波アナログ放送チャンネルを受信し、受信信号を出力する第１のチューナと、前記分岐出力端子に供給される信号を入力として地上波デジタル放送チャンネルを受信し、受信信号を出力する第２のチューナと、前記第１のチューナの受信出力と前記第２のチューナの受信出力を択一的に切換えて選択したチューナの受信信号を出力する切換手段と、前記切換手段によって前記第２のチューナの出力が選択された状態において前記第２のチューナから出力される受信信号に基づき、前記分岐手段の出力端子から導出される信号を前記第２のチューナの入力とするように切換える制御手段とを具備したことを特徴とする。
【０００８】
本発明によれば、出力に対する挿入損失の小さな出力端子から導出される信号をアナログチューナに供給し、挿入損失の大きな分岐出力端子から導出される信号をデジタルチューナに供給し、デジタルチューナで受信した信号を視聴している際に、受信状態が悪化したら分岐手段の出力端子からの信号をデジタルチューナに供給するように切換えることができるため適切な受信を行なうことができる。
【０００９】
さらに、本発明の地上波放送受信方法は、アンテナからの信号が供給される放送信号を第１の挿入損失で第１の出力端子に導出すると共に、前記第１の挿入損失より大きな第２の挿入損失で第２の出力端子に導出するステップと、前記第１の出力端子に供給される信号のうち地上波アナログ放送チャンネルを第１のチューナで受信して受信信号を出力するステップと、前記第２の出力端子に供給される信号のうち地上波デジタル放送チャンネルを第２のチューナで受信して受信信号を出力するステップと、前記第２のチューナの受信信号に基づき、前記第１の出力端子に供給される信号を前記第２のチューナで受信するように設定するステップとを具備したことを特徴とする。
【００１０】
本発明によれば、デジタルチューナを信号分配手段の挿入損失の大きい出力端子に接続し、アナログチューナを挿入損失の小さい出力端子に接続して、デジタルチューナの受信状態が劣化したら、デジタルチューナを信号分配手段の挿入損失の小さい出力端子に接続するので、適切な受信が行なえるものである。
【００１１】
【発明の実施の形態】
以下、図面を参照しながら本発明の実施の形態を詳細に説明する。
図１は、本発明の地上波放送受信装置の一実施の形態を示すブロック図である。
受信機１０は、アンテナ１１からの信号を受信するためのアンテナ端子１２を有し、アンテナ端子１２に供給された信号を分岐器１３で受ける。
分岐器１３は、アンテナ端子に接続された入力端子１３ａと出力端子１３ｂと分岐出力端子１３ｃを備える。分岐器１３はその挿入損失が全体で例えば１０ｄＢであったとすると、入力端子１３ａと出力端子１３ｂ間の挿入損失は例えば１ｄＢで、入力端子１３ａと分岐出力端子１３ｃ間の挿入損失は例えば９ｄＢである。
【００１２】
このような分岐器は従来から広く利用されており、その具体的回路構成は例えば特開昭５６−１１５０１７号に記載されている。
分岐器１３の出力端子１３ｂは第１の切換スイッチ１４の第１入力端子１４ａに接続されると共に、第２の切換スイッチ１５の第１入力端子１５ａに接続されている。
分岐器１３の分岐出力端子１３ｃは第１の切換スイッチ１４の第２入力端子１４ｂに接続されていると共に、第２の切換スイッチ１５の第２入力端子１５ｂに接続されている。
第１の切換スイッチ１４の出力端子１４ｃは、アナログチューナ１６の入力端に接続され、第２の切換スイッチ１５の出力端子１５ｃはデジタルチューナ１７の入力端に接続されている。
アナログチューナ１６で受信された信号は、復調／信号処理部１８でベースバンドの映像信号と音声信号に変換されると共に、適宜処理が施されて音声信号は第３の切換スイッチ１９の第１入力端子１９ａに供給され、映像信号は第４の切換スイッチ２０の第１入力端子２０ａに供給される。
【００１３】
デジタルチューナ１７で受信された信号は、デコーダ２１でＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ：直交周波数分割多重）復調と誤り訂正が行なわれると共に、ＭＰＥＧ（Ｍｏｖｉｎｇ　Ｐｉｃｔｕｒｅ　Ｅｘｐｅｒｔｓ　Ｇｒｏｕｐ）のデコードが行なわれ、復号された映像信号はグラフィック処理部２２で必要に応じてグラフィックの重畳等の処理が行なわれ、さらにアナログ信号に変換されて第４の切換スイッチ２０の第２入力端子２０ｂに供給される。さらにデコーダ２１では、音声信号に関してもＭＰＥＧのデコードが行なわれ、復号された音声信号はさらにアナログ信号に変換されて、第３の切換スイッチ１９の第２入力端子１９ｂに供給される。
【００１４】
第３の切換スイッチの出力端子１９ｃは音声出力部２３に接続され、ここで音声信号が増幅されスピーカ２４に供給されて音声として出力される。
第４の切換スイッチの出力端子２０ｃは映像出力部２５に接続され、供給された映像信号が増幅され陰極線管等で構成される表示部２６に供給されて表示される。
さらに、受信機１０には、ユーザが操作するための入力部２７が設けられており、図示しないリモコンハンドユニットからのリモコン信号を受けて受信機１０の動作、機能を制御するための制御信号をマイクロコンピュータ等で構成される制御部２８に供給する。入力部２７は受信機１０の筐体前面に設けられた複数のスイッチで構成されることもある。
【００１５】
入力部２７から選局に関する制御信号が供給されると、制御部２８は選局部２９を働かせてアナログチューナ１６あるいはデジタルチューナ１７の受信チャンネルを切換える。
また、制御部２８は、ユーザが入力部２７を介して供給する受信放送選択制御信号により、第３及び第４の切換スイッチ１９，２０を切換える制御信号を出力する。それにより、アナログ放送かデジタル放送かが択一的に選択受信される。
さらに、受像機１０には、デジタルチューナ１７の受信出力から受信信号の品位を判別するための判別部３０が設けられている。判別部３０は、デジタルチューナ１７の出力のＢＥＲ（Ｂｉｔ　Ｅｒｒｏｒ　Ｒａｔｅ）あるいはＣ／Ｎ（Ｃａｒｒｉｅｒ／Ｎｏｉｓｅ：搬送波／雑音比）から受信信号の品位を判別し、それらの値が所定の閾値を超えて悪化した場合に、第１及び第２の切換スイッチに対して切換えを行なわせるための信号を出力する。
【００１６】
以上のように構成された、受信機１０の動作を説明する。
例えば、受信機１０の電源を投入した直後等の初期状態においては、第１の切換スイッチ１４が第１入力端子１４ａを選択し、第２の切換えスイッチ１５が第２入力端子１５ｂを選択するように切換えられる。
すなわち、分岐器１３の出力端子１３ｂとアナログチューナ１６が接続され、分岐器１３の分岐出力端子１３ｃとデジタルチューナ１７が接続される。
一般にデジタルチューナ１７はアナログチューナ１６よりも受信感度が高いため、その入力信号のレベルはアナログチューナ１６のそれより小さく設定することが可能である。
すなわち、デジタルチューナ１７を分岐器１３の挿入損失の大きな分岐出力端子１３ｃに接続し、アナログチューナ１６を分岐器１３の挿入損失の小さい出力端子１３ｂに接続することで、両チューナ１６，１７を適切な動作状態におくことが可能である。
【００１７】
アナログ放送を受信する場合には、ユーザは入力部２７から制御部２８を介して選局部２９に制御信号を供給して所望のアナログ放送チャンネルを選局すると同時に、制御部２８を介して第３及び第４の切換スイッチ１９，２０をアナログチューナ１６の受信信号を選択するように切換える。
【００１８】
デジタル放送を受信する場合には、ユーザは入力部２７から制御部２８を介して選局部２９に制御信号を供給して所望のデジタル放送チャンネルを選局すると同時に、制御部２８を介して第３及び第４の切換スイッチ１９，２０をデジタルチューナ１７の受信信号を選択するように切換える。
【００１９】
デジタル放送の受信状態において、デジタルチューナ１７の受信出力の信号状態を判別部３０で判別し、信号の品位を監視する。デジタルチューナ１７の受信出力のＢＥＲあるいはＣ／Ｎの値が、所定の閾値を超えて悪化する方向に変移したら、判別器３０は第２の切換スイッチ１５を第１入力端子１５ａに切換え、同時に第１の切換スイッチ１４を第２入力端子１４ｂに切換える。
【００２０】
これによって、デジタルチューナ１７は、分岐器１３の出力端子１３ｂと接続され、大きなレベルのアンテナ出力信号が供給されるようになるため放送の良好な視聴が行えるものである。
なお、このとき、アナログチューナ１６は第１の切換スイッチ１４が第２入力端子１４ｂに切換わることによって分岐器１３の分岐出力端子１３ｃと接続される。しかしながら、アナログ放送の受信状態にないのでこの切換によって問題が発生することはない。
【００２１】
次に、アナログ放送を受信する場合には、入力部２７からの制御信号により、選局部２９を介して、デジタルチューナ１７が例えば非動作状態に設定され、それを判別部３０で判別して第１の切換スイッチ１４を第１入力端子を選択し、第２の切換スイッチ１５を第２入力端子を選択するように切換える。
【００２２】
それによって、再びアナログチューナ１６は、分岐器１３の出力端子１３ｂから供給される高レベルの信号を受信することになる。
なお、第１及び第２の切換スイッチ１４，１５は、ユーザが受信しようとする放送をデジタルからアナログに切換えた際に制御部２８によってそれぞれ、第１入力端子１４ａ及び第２入力端子１５ｂを選択するように制御することも可能である。
図２は、図１に示す受信装置の動作を説明するためのフローチャートである。
ステップ２ａで開始されて、ステップ２ｂで分岐器１３の出力端子１３ｂがアナログチューナ１６に接続され、分岐器１３の分岐出力１３ｃがデジタルチューナ１７に接続されるように設定される。
次に、ステップ２ｃで受信する放送がアナログ放送かデジタル放送かの判断がなされ、アナログ放送受信の場合は、ステップ２ｂに戻る。
デジタル放送の受信が選択された場合には、ステップ２ｄでデジタルチューナ１７の受信信号の品位が判別され、ステップ２ｅで受信信号の品位が所定閾値より低下していない場合には、ステップ２ｄに戻り、所定閾値を超えて低下した場合には、ステップ２ｆで、分岐器１３の非分岐出力端子１３ｂにデジタルチューナ１７を接続するように切換える。
【００２３】
次にステップ２ｇで、アナログ放送の受信が選択されたか否かが判別され、アナログ放送の受信が選択されたらステップ２ｂに戻り、再び分岐器１３の出力端子１３ｂにアナログチューナ１６が接続され、分岐器１３の分岐出力端子１３ｃにデジタルチューナ１７が接続される。
【００２４】
以上説明した実施の形態では、デジタル放送の視聴時に判別部３０の判別結果に基づいてデジタルチューナ１７を分岐器１３の出力端子１３ｂに自動的に接続するように構成したが、ユーザの意思により手動でも、第１及び第２の切換スイッチ１４，１５を切換えられるように構成すれば、さらに使い勝手が向上するものである。
【００２５】
図３は、ユーザが手動で第１及び第２の切換スイッチ１４，１５を切換えられるように構成した実施の形態を示すブロック図である。
図１に対して異なる点は、制御部２８と判別部３０が接続され、制御信号が判別部３０に供給される点であり、他の部分は図１と同じであるため詳細な説明は省略する。
すなわち、デジタル放送を受信中に、ユーザが分岐器１３の出力端子１３ｂからの信号をデジタルチューナ１７に供給したいと判断した場合に、入力部２７から制御部２８を介して判別部３０に制御信号を送って、第１の切換スイッチ１４を第１入力端子１４ａを選択するように制御できるように構成したものである。
【００２６】
これによれば、受信信号の品位が、閾値を越えるほど低下していないが、良好な受信状態で視聴したいとユーザが判断した場合に、ユーザの意思でデジタルチューナ１７の入力信号レベルを増加させ、目的を達成することができるものである。
さらに、アナログ放送を受信する場合に、第１の切換スイッチ１４を、必ずその第１入力端子１４ａとアナログチューナ１６が接続されるように切換えるように構成することもできるものである。
なお、アナログ放送を受信中は、アナログチューナ１６は、必ず第１の切換スイッチ１４の第１入力端子１４ａに接続されるため、分岐器１３の分岐出力端子１３ｃとアナログチューナ１６を接続する経路は無くてもよく、したがって第１の切換スイッチ１４の第２入力端子１４ｂは、分岐出力端子１３ｃで接続せずに、単に端子として存在するように構成してもよい。
【００２７】
また、アナログ放送を受信中には、デジタルチューナ１７は動作状態としてもあるいは非動作状態としてもよい。同様に、デジタル放送受信中は、アナログチューナ１６は動作状態としてもあるいは非動作状態としてもよいものである。
以上のように、本発明によれば、各チューナの特性に合致した、無駄の無い信号配分を達成でき、さらにデジタルチューナの受信状態が悪化した際に、それを克服できるものであり、効率的で常に良好な受信状態を得ることができるものである。
【００２８】
【発明の効果】
以上のように、本発明によれば、アナログチューナに分岐器の出力端子を介してアンテナからの信号を供給し、受信感度の高いデジタルチューナは分岐器の分岐出力端子を介してアンテナからの信号を受けるように構成すると共に、デジタル放送視聴時に、チューナの受信信号品位が所定閾値を超えて低下したら、分岐器の出力端子からの信号がチューナに供給されるように設定したので、無駄が無く、かつ常に良好な受信状態を得ることができるものである。
【図面の簡単な説明】
【図１】本発明に係る、地上波放送受信装置の一実施の形態を示すブロック図。
【図２】図１に示す装置の動作を説明するためのフローチャート。
【図３】本発明に係る、地上波放送受信装置の他の実施の形態を示すブロック図。
【符号の説明】
１０…受信機
１１…アンテナ
１２…アンテナ入力端子
１３ａ…出力端子
１３ｃ…分岐出力端子
１４…第１の切換スイッチ
１５…第２の切換スイッチ
１９…第３の切換スイッチ
２０…第４の切換スイッチ
【図１】
2004007130.tif 000003
【図２】
2004007130.tif 000004
【図３】
2004007130.tif 000005